(57)【特許請求の範囲】
【請求項１】
吸込口及び送風手段を有する本体部と、
前記吸込口に連通する流入部を有し、前記送風手段により前記吸込口から吸い込まれ前記流入部を通過した空気を吹き出す吹出口が設けられた、前記本体部に対して前記本体部の軸線の周りに回転可能に配置される回転部と、
前記流入部内で前記本体部側から延びる少なくとも１つの中空状の連結部と、
前記連結部に固定され、配線を要する電気部品が配置された固定頂部と
を備え、
少なくとも１つの前記連結部内に前記固定頂部の前記電気部品を前記本体部側と電気的に接続するための配線がなされ、
少なくとも１つの前記連結部は、端部に開口部を有し、
前記固定頂部は、前記連結部の前記開口部を覆う被覆部を有する、送風装置。
【発明の詳細な説明】
【技術分野】
【０００１】
本発明は、送風装置に関する。送風装置とは、吸込口から空気を吸引し、何らかの処理を加え又は加圧以外の処理を加えることなく、吹出口から空気を吹き出す装置をいう。例えば、送風装置には、除湿機、加湿器、空気調和機、サーキュレータ、冷風機、温風機、及び扇風機等が該当する。
【背景技術】
【０００２】
吹出口から風（空気）が吹き出す方向を変化させることができる除湿機や加湿器が従来から提案されている。例えば、この種の加湿器が、特許文献１に開示されている。
【０００３】
特許文献１の加湿器は、本体ケース及び本体ケースの上部に配置された風向変更部を有する。風向変更部は、外周部を構成しており、本体ケースに対して手動により回転可能である。また、風向変更部は、その側面に加湿した空気を吹き出すためのスポット用吹出口を有する。
【０００４】
しかし、特許文献１の加湿器では、風向変更部に操作パネルなどの電気部品を有する場合、風向変更部の本体ケースに対する回転動作を確保しつつ、電気部品と本体部との間をどのように配線するかについて考慮されていない。
【先行技術文献】
【特許文献】
【０００５】
【特許文献１】特開２０１４−２０７０７号公報
【発明の概要】
【発明が解決しようとする課題】
【０００６】
本発明は、送風装置において、空気の流れを配線の影響により乱すことなく、回転部の回転動作を確保することを課題とする。
【課題を解決するための手段】
【０００７】
本発明は、吸込口及び送風手段を有する本体部と、前記吸込口に連通する流入部を有し、前記本体部に対して軸線の周りに回転可能に配置され、前記送風手段により前記吸込口から吸い込まれ前記流入部を通過した空気を吹き出す吹出口が設けられた回転部と、前記流入部内で前記本体部側から延びる少なくとも１つの中空状の連結部と、前記連結部に固定され、配線を要する電気部品が配置された固定頂部とを備え、少なくとも１つの前記連結部内に前記固定頂部の前記電気部品を前記本体部側と電気的に接続するための配線がなされている、送風装置を提供する。
【０００８】
電気部品用の配線を連結部の内部に行っているため、流入部を通過する空気の流れを配線の影響により乱す可能性を低減する。従って、送風効率の低下を防止できる。また、固定された部品間で配線を行っているため、回転部の回転動作の影響を受けずに配線可能である。
【０００９】
前記送風装置の前記固定頂部はケーシングを有し、前記ケーシング内に前記電気部品が収容されていることが好ましい。
【００１０】
電気部品がケーシング内に配置されているため、外部からユーザに触れられることがなく、ユーザにとって安全であると共に、電気部品の損傷を防止できる。例えばユーザが吹出口から細い棒状の物を誤って挿入した場合でも、電気部品に直接触れることを防止できる。
【００１１】
前記送風装置の少なくとも１つの前記連結部は、端部に開口部を有し、前記固定頂部は、前記連結部の前記開口部を覆う被覆部をさらに備えることが好ましい。
【００１２】
連結部が配線用の開口部を有し、その開口部を固定頂部の被覆部が覆うことで、配線が連結部から露出することを完全に防止できる。これにより、流入部を流れる空気の流路から配線を完全に分離でき、空気の流れを配線の影響により乱すことがない。従って、送風効率の低下を防止できる。
【００１３】
前記送風装置の前記連結部と前記固定頂部は、ねじ止め固定されていることが好ましい。
【００１４】
連結部内に配線を行いつつ、新規部品を追加することなく簡易な構成で本体部側から延びる連結部と固定頂部との固定を実現できる。
【００１５】
前記送風装置の前記固定頂部は、基準位置にあるときの前記吹出口に対向する位置に風向規制部を備えることが好ましい。
【００１６】
固定頂部が吹出口から対向する位置に配置された風向規制部を有することで風向規制部に対向する方向へ流入部を通過した空気を偏向でき、特に回転部が基準位置にあるとき、空気を吹出口に向けて偏向できる。従って、送風効率の低下を防止できる。
【発明の効果】
【００１７】
本発明によれば、電気部品用の配線を連結部の内部に行っているため、空気の流れを配線の影響により乱すことなく、送風効率の低下を防止できる。また、固定された部品間で配線を行っているため、回転部の回転動作の影響を受けずに配線可能である。
【図面の簡単な説明】
【００１８】
【図１】本発明の実施形態に係る除湿機の斜視図。
【図２】除湿機の分解斜視図。
【図３Ａ】図２の本体を正面側から見た斜視図。
【図３Ｂ】図２の本体を背面側から見た斜視図。
【図４】除湿機の概念的な断面図。
【図５】除湿機のシステム図。
【図６】図２のヘッド部の分解斜視図。
【図７】回転本体部とヘッドベースを下側から見た斜視図。
【図８】収容ケースの分解斜視図。
【図９】収容ケース本体を下側から見た斜視図。
【図１０】ベースカバーを上側から見た斜視図。
【図１１】ベースカバーと収容ケース本体の正面図。
【図１２】図１１の中央での断面図。
【発明を実施するための形態】
【００１９】
以下、本発明の実施の形態を図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００２０】
図１から図３Ｂは本発明の実施形態に係る除湿機１を示す。図４は除湿機１の概念的な断面図である。図５は除湿機１のシステム図である。
【００２１】
（全体構成）
図１及び図２を参照すると、除湿機１は、円柱形状の外観を有し、本体（本体部）１００と、本体１００の上部に配置されたヘッド部６００と、本体１００の下部に配置された貯水部７００とを備える。除湿機１は、本体１００の吸込口１１２から吸引した外部（例えば除湿対象の室内）の空気（処理空気）を、本体１００内で除湿ロータ２００による水分吸着により除湿する。除湿された処理空気は、ヘッド部６００の吹出口６４２から外部へ吐出される。除湿ロータ２００に吸着された水分は、本体１００内の閉経路を循環する空気（再生空気）により回収され、貯水部７００の貯水タンク７２０内に貯留される。
【００２２】
ヘッド部６００は、本体１００の軸線Ｌを中心として回転可能な送風部６４０を備える。送風部６４０は、図１に示す位置を基準（基準位置）として、収容ケース６８０回りを略±１８０度の範囲で周方向Ａに往復（首振り）回転できる。送風部６４０の吹出口６４２には可動式のルーバー６６０が配置されている。ルーバー６６０は、上下方向Ｂの設定範囲で揺動可能である。
【００２３】
図４及び図５に示すように、除湿機１は、破線で示す処理空気が流れる経路（処理空気経路）２と、実線で示す再生空気が流れる経路（再生空気経路）３とを備える。除湿ロータ２００は、処理空気経路２及び再生空気経路３に跨がって配置されている。除湿機１は、除湿ロータ２００の一面側（吸込口１１２側）に、再生空気及び除湿ロータ２００を加熱するヒータ（加熱手段）２５０を備える。また、除湿機１は、除湿ロータ２００の一面側に配置された主熱交換器（第１熱交換器）３００と、除湿ロータ２００の他面側に配置された副熱交換器（第２熱交換器）３５０とを備える。さらに、除湿機１は、処理空気を吸引及び吐出するための処理空気ファン（送風手段）４００と、再生空気を循環させるための再生空気ファン４５０とを備える。
【００２４】
図１から図３Ｂに示すように、本体１００は、除湿ロータ２００、ヒータ２５０、主熱交換器３００、副熱交換器３５０、処理空気ファン４００、及び再生空気ファン４５０を含む部品を配置するベース１０１を備える。ベース１０１は、下端に位置する平面視円形状の基部１０２と、基部１０２から矩形状をなすように立設した立壁部１０３とを備える。ベース１０１の外周部は、半円筒状である樹脂製の外装パネル１１０Ａ，１１０Ｂにより覆われている。外装パネル１１０Ａ，１１０Ｂは、内面側に金属製の補強パネル１１１Ａ，１１１Ｂを備える。一方の外装パネル１１０Ａには、室内の空気を取り入れるための吸込口１１２が設けられている。吸込口１１２は、上下方向に延びる多数条のスリットからなる。なお、吸込口１１２の内面側には、図示しないフィルタが外装パネル１１０Ａに沿って着脱可能に配置されている。
【００２５】
（処理空気経路）
図４及び図５に示すように、処理空気経路２は、吸込口１１２から吹出口６４２までを接続している。処理空気経路２には、吸込口１１２から吹出口６４２に向けて処理空気が流れる方向に沿って順に、主熱交換器３００、除湿ロータ２００、副熱交換器３５０、及び処理空気ファン４００が配置されている。
【００２６】
図５に最も明瞭に示すように、処理空気経路２は、第１から第５の部分２ａ〜２ｅを備える。第１部分２ａは、吸込口１１２から主熱交換器３００までを接続している。図４に示すように、第１部分２ａは、吸込口１１２と主熱交換器３００との間に形成された空間からなる。第２部分２ｂは、主熱交換器３００から除湿ロータ２００までを接続している。図４に示すように、第２部分２ｂは、主熱交換器３００と除湿ロータ２００との間に形成された空間からなる。第３部分２ｃは、除湿ロータ２００から副熱交換器３５０までを接続している。図４に示すように、第３部分２ｃは、除湿ロータ２００と副熱交換器３５０との間に形成された空間からなる。第４部分２ｄは、副熱交換器３５０から処理空気ファン４００までを接続している。図４に示すように、第４部分２ｄは、副熱交換器３５０と処理空気ファン４００の吸込口との間に形成された空間からなる。第５部分２ｅは、処理空気ファン４００の吐出口から吹出口６４２までを接続している。図４に示すように、第５部分２ｅは、処理空気ファン４００のファンケース４１０の送出部４１１、及びヘッド部６００の送風案内部６４１を備える。
【００２７】
処理空気ファン４００が駆動されると、吸込口１１２から処理空気が吸い込まれる。処理空気は、主熱交換器３００で昇温された後、除湿ロータ２００を通過する際に除湿される。ついで、副熱交換器３５０で更に昇温された後、処理空気ファン４００のファンケース４１０内に流入する。その後、ファンケース４１０の送出部４１１から上向きに送出され、ヘッド部６００の吹出口６４２から室内へ排出される。
【００２８】
（再生空気経路）
図４及び図５に示すように、再生空気経路３には、ヒータ２５０を起点として再生空気が流れる方向に従って順に、除湿ロータ２００、副熱交換器３５０、主熱交換器３００、及び再生空気ファン４５０が配置されている。
【００２９】
図５に最も明瞭に示すように、再生空気経路３は、第１から第５の部分３ａ〜３ｅを備える。第１部分３ａは、再生空気ファン４５０の吐出口からヒータ２５０までを接続している。図３Ａ，Ｂ及び図４に示すように、第１部分３ａは、再生空気ファン４５０のファンケース４６０とヒータ２５０のヒータケース２６０の間のダクト部４６２を備える。第２部分３ｂは、ヒータ２５０から除湿ロータ２００までを接続している。図４に示すように、第２部分３ｂは、ヒータケース２６０中のヒータ２５０と除湿ロータ２００との間に形成された空間（隙間）からなる。第３部分３ｃは、除湿ロータ２００から副熱交換器３５０までを接続している。図４に示すように、第３部分３ｃは、副熱交換器３５０の上部ヘッダ３７０の内部空間からなる。第４部分３ｄは、副熱交換器３５０から主熱交換器３００までを接続している。図３Ａ，Ｂ及び図４に示すように、第４部分３ｄは、副熱交換器３５０の下部ヘッダ３８０、ダクト部材５００、及び主熱交換器３００の上部ヘッダ３２０を備える。第５部分３ｅは、主熱交換器３００から再生空気ファン４５０までを接続している。図３Ｂ及び図４に示すように、第５部分３ｅは、主熱交換器３００の下部ヘッダ３３０と再生空気ファン４５０のファンケース４６０の間のダクト部４６１を備える。
【００３０】
再生空気ファン４５０が駆動されると、再生空気ファン４５０から送出された再生空気は、ヒータ２５０で加熱される。ついで、再生空気は、除湿ロータ２００を通過する際に、除湿ロータ２００が吸着した水分を回収（吸湿）した後、副熱交換器３５０で冷却される。ついで、ダクト部材５００を通って主熱交換器３００に流入し、再び冷却される。その後、再生空気は、再生空気ファン４５０に戻り、再びヒータ２５０へ送出される。
【００３１】
（ヘッド部の詳細）
図６は本実施形態に係るヘッド部６００の分解斜視図である。図４及び図６に示すように、ヘッド部６００は、本体（本体部）１００の上端に固定されたヘッドベース（固定基部）６１０と、ヘッドベース６１０に回転可能に配置された送風部（回転部）６４０と、送風部６４０をヘッドベース６１０との間に挟み込んで配置する収容ケース（固定頂部）６８０とを備える。本実施形態では、本体１００の上にヘッドベース６１０を配置し、ヘッドベース６１０の上に送風部６４０を配置しているが、ヘッドベース６１０は本体１００と別体ではなく、本体１００の上面に一体に成形されていてもよい。さらに言えば、ヘッドベース６１０は必ずしも必要ではない。例えば、本体１００の上に送風部６４０を配置してもよい。また、送風部６４０は、必ずしも本体１００に対して上方に配置される必要はなく、例えば側方に配置されてもよい。
【００３２】
図６に示すように、ヘッドベース６１０は、金属製のベース本体６２０と、樹脂製のベースカバー６３０とを備え、これらがねじ止めにより固定されている。ベース本体６２０は、実質的な中央に本体１００の送出部４１１に連通する連通口６２１を備える。ベースカバー６３０は、連通口６２１に連通する連通口６３１を備える。ベースカバー６３０には、連通口６３１の内周部から上向きに突出する中空状の４つのボス（連結部）６３２ａ〜ｄが設けられている。本実施形態では、４つのボス６３２ａ〜ｄが設けられているが、その数はこれに限定されず、１つでも構わないし、多数あっても構わない。
【００３３】
図６に示すように、送風部６４０は、ヘッドベース６１０に載置された回転本体部６５０と、回転本体部６５０を覆う外装カバー６７０とを備え、これらがねじ止めにより固定されている。
【００３４】
図６に示すように、回転本体部６５０は平面視円環状あり、連通口６２１，６３１に連通する平面視円形状の流入部６５１と、流入部６５１から径方向外向きに延びる吹出部６５２とを備える。これら流入部６５１及び吹出部６５２により、平面視Ｕ字形状の送風案内部６４１が形成されている。また、吹出部６５２の外側端の吹出口６４２に、可動式のルーバー６６０が配置されている。ルーバー６６０は、回転本体部６５０上に配置したステッピングモータ（第２駆動手段）６６１により上下方向に揺動される。外装カバー６７０は、連通口６３１の上部に位置する円形状の第１開口部６７１と、ルーバー６６０を含む吹出口６４２を露出させる第２開口部６７２とを備える。
【００３５】
収容ケース６８０は、ヘッドベース６１０に送風部６４０を配置し、送風部６４０の第１開口部６７１内に位置するボス６３２ａ〜ｄにねじ止めすることにより固定されている。収容ケース６８０は、送風部６４０のヘッドベース６１０に対する後述の軸線Ｌ周りの回転は許容するが送風部６４０の軸線Ｌ方向（図において上方）のヘッドベース６１０に対する変位を規制する。ボス６３２ａ〜ｄと収容ケース６８０の接続構造については後に詳細に説明する。
【００３６】
図７は、回転本体部６５０とヘッドベース６１０を下側から見た斜視図である。図７に示すように、回転本体部６５０は、底面側の全周にわたってギア部６５３を備える。ギア部６５３には、ギア６２４が噛合されている。ギア６２４は、ギア６２５，６２６を介してヘッドベース６１０の下部に配置した電動モータ（第１駆動手段）６２３により駆動される。電動モータ６２３の回転出力がギア６２６，６２５，６２４を介してギア部６５３に伝達され、それによって図１に示す本体１００の軸線Ｌを中心として回転本体部６５０が回転される。
【００３７】
図７に示すように、回転本体部６５０の下側には複数の第１のコロ６９１が配置されている。第１のコロ６９１は、軸線Ｌから径方向に等しい距離に等間隔で３個配置されている。本実施形態では３個の第１のコロ６９１を採用したが、４個以上であってもよい。第１のコロ６９１は、回転本体部６５０のコロ取付部６５４から部分的に下方へ突出して取り付けられている。従って、回転本体部６５０が回転されると、第１のコロ６９１は回転本体部６５０の下方に配置されたベースカバー６３０の上面６３７（図６参照）上を回転し、回転本体部６５０とベースカバー６３０との間の摩擦抵抗を低減する。
【００３８】
また、図６に示すように、回転本体部６５０には、流入部６５１の上部に複数の第２のコロ６９２が配置されている。第２のコロ６９２は、軸線Ｌから等距離に流入部６５１の周囲に等間隔で６個配置されている。第２のコロ６９２は、その軸を軸線Ｌと同方向に配置されており、カバーパネル６８２の側面６８９に当接する。従って、回転本体部６５０が回転されると、第２のコロ６９２は、カバーパネル６８２の側面６８９上を回転し、回転本体部６５０とカバーパネル６８２との間の摩擦抵抗を低減する。また、送風部６４０の水平方向（軸線Ｌと交差する方向）の可動範囲を第２のコロ６９２とカバーパネル６８２の側面６８９とが当接することにより規制している。
【００３９】
図８は、収容ケース６８０の分解斜視図である。図８に示すように、収容ケース６８０は、上端開口の収容ケース本体６８１と、収容ケース本体６８１を閉塞するカバーパネル６８２とを備える。収容ケース本体６８１の内部には、操作基板６８３が配置されており、ねじ止めにより収容ケース本体６８１に固定されている。カバーパネル６８２には、操作基板６８３のスイッチに対応する入力部が形成されている。収容ケース本体６８１とカバーパネル６８２が本発明におけるケーシングを構成している。
【００４０】
操作基板６８３が収容ケース本体６８１及びカバーパネル６８２内に配置されているため、外部からユーザに触れられることがなく安全であると共に、操作基板６８３の損傷を防止できる。例えば、ユーザが吹出口６４２から細い棒状の物を誤って挿入した場合でも、操作基板６８３に直接触れることを防止できる。
【００４１】
図９は、収容ケース本体６８１を下側から見た斜視図である。図８及び図９に示すように、収容ケース本体６８１は風向規制部６８４を備える。風向規制部６８４は、平面視半円状であり、収容ケース本体６８１の側面の一部が下方へ延長されて形成されている。風向規制部６８４は、送風部６４０が基準位置にあるときの吹出口６４２に対向する位置に設けられている。これにより、連通口６２１，６３１を通過した処理空気を風向規制部６８４に対向する方向へ偏向でき、特に送風部６４０が基準位置付近にあるときは、吹出口６４２へ向かって処理空気を偏向できる。
【００４２】
図９に示すように、収容ケース本体６８１は、下面にベースカバー６３０のボス６３２ａ〜ｄと接続するためのボス取付部６９０ａ〜ｄが設けられている。ボス取付部６９０ａ〜ｄには、ボス６３２ａ〜ｄの先端を差し込むことができる。ボス取付部６９０ａ〜ｄには、接続の際にねじ止めを行うためのねじ孔６８５ａ〜ｄが設けられている。図８を合わせて参照すると、収容ケース本体６８１のボス取付部６９０ａ〜ｄ及びねじ孔６８５ａ〜ｄは、ボス６３２ａ〜ｄに合わせてそれぞれ４つ設けられている。４つのボス取付部６９０ａ〜ｄのうちの２つのボス取付部６９０ａ，ｂには、操作基板６８３の配線を行うための配線孔６８６ａ，ｂがさらに設けられている。配線孔６８６ａ，ｂは平面視半円状であり、収容ケース本体６８１の下面を貫通している。２つのボス取付部６９０ａ，ｂの下方には、平面視半円状の被覆部６８７ａ，ｂが配線孔６８６ａ，ｂの円弧形状の周囲に沿ってそれぞれ配置されている。被覆部６８７ａ，ｂは、収容ケース本体６８１の下面から下方へ延びている。被覆部６８７ａ，ｂの下部には、被覆部６８７ａ，ｂの内面から内側へ突出した係止部６８８ａ，ｂが設けられている。
【００４３】
図１０は、ベースカバー６３０を上側から見た斜視図である。ベースカバー６３０には、連通口６３１の周囲に上方に延びる４つのボス６３２ａ〜ｄが設けられている。４つのボス６３２ａ〜ｄのうち、２つのボス６３２ａ，ｂは上部に開口部６３３ａ，ｂを有する。開口部６３３ａ，ｂの下部には係止部６３４ａ，ｂが配置されており、ベースカバー６３０と収容ケース本体６８１が組み合わせられた際にこの係止部６３４ａ，ｂと収容ケース本体６８１の係止部６８８ａ，ｂ（図９参照）が係止して上下方向の位置決めがなされる。４つのボス６３２ａ〜ｄのうち、２つのボス６３２ａ，ｂは、開口部６３３ａ，ｂにより切り欠かれた平面視半円形状の上面６３５ａ，ｂを有し、その他の２つのボス６３２ｃ，ｄは平面視円形状の上面６３５ｃ，ｄを有する。それぞれの上面６３５ａ〜ｄには、収容ケース本体６８１とのねじ止め用のねじ孔６３６ａ〜ｄが設けられている。
【００４４】
ベースカバー６３０と収容ケース本体６８１との接続は、これらのボス６３２ａ〜ｄとボス取付部６９０ａ〜ｄが接続されることによりなされる。具体的には、ボス６３２ａとボス取付部６９０ａが接続され、このボス６３２ａのねじ孔６３６ａとボス取付部６９０ａのねじ孔６８５ａ（図９参照）がねじ止めされる。同様に、ボス６３２ｂとボス取付部６９０ｂが接続され、このボス６３２ｂのねじ孔６３６ｂとボス取付部６９０ｂのねじ孔６８５ｂ（図９参照）がねじ止めされる。同様に、ボス６３２ｃとボス取付部６９０ｃが接続され、このボス６３２ｃのねじ孔６３６ｃとボス取付部６９０ｃのねじ孔６８５ｃ（図９参照）がねじ止めされる。同様に、ボス６３２ｄとボス取付部６９０ｄが接続され、このボス６３２ｄのねじ孔６３６ｄとボス取付部６９０ｄのねじ孔６８５ｄ（図９参照）がねじ止めされる。このように、ベースカバー６３０と収容ケース本体６８１は接続され、固定される。
【００４５】
図１１は、ベースカバー６３０と収容ケース本体６８１を組み合わせた際の正面図である。図１１に示すように、収容ケース本体６８１の被覆部６８７ａ，ｂは、ベースカバー６３０のボス６３２ａ，ｂの開口部６３３ａ，ｂをそれぞれ覆っている。ボス６３２ａ，ｂ及び被覆部６８７ａ，ｂの内部では開口部６３３ａ，ｂと配線孔６８６ａ，ｂが接続されている。
【００４６】
図１２は、図１１の中央断面図である。図１２に示すように、ボス６３２ａ，ｂと収容ケース本体６８１は、各係止部６３４ａ，ｂ及び６８８ａ，ｂがそれぞれ当接した状態で、各ボス６３２ａ〜ｄ及びボス取付部６９０ａ〜ｄが接続され、それぞれがねじ止めされて固定されている。ボス６３２ａ，ｂ及びボス取付部６９０ａ，ｂの被覆部６８７ａ，ｂの内部には、図１２で概念的に示すように配線Ｗがなされている。配線Ｗの一端は操作基板６８３（図示せず）に接続され、もう一端は本体側のメイン基板（図示せず）に接続されている。配線孔６８６ａ，ｂを介した配線Ｗはボス６３２ａ，ｂ及び被覆部６８７ａ，ｂにより囲まれており、これらから露出していない。従って配線Ｗは、連通口６３１を通過する処理空気と分離されている。従って処理空気の流れを配線Ｗの影響により乱すことがない。
【００４７】
このように、処理空気の流れを配線Ｗの影響により乱すことがないため、送風効率の低下を防止できる。また、回転する送風部６４０を介することなく固定された部品（収容ケース６８０とヘッドベース６１０）間でのみ配線を行っているため、操作基板６８３用の配線Ｗは不動であり、送風部６４０の回転動作の影響を受けずに配線可能である。
【００４８】
なお、本実施形態の除湿機１は、例えば室内を乾燥させることを目的とした室内空気を除湿対象とする他、衣類の乾燥を目的とした衣類の水分を除湿対象とするものや、これらの両方の目的を達成するものが含まれる。
【００４９】
また、除湿機を例に本発明を説明したが、本発明は、加湿器、空気調和機、サーキュレータ、冷風機、温風機、及び扇風機のような除湿機以外の送風装置にも適用できる。
【符号の説明】
【００５０】
１…除湿機（送風装置）
２…処理空気経路
２ａ〜２ｅ…処理空気経路の部分
３…再生空気経路
３ａ〜３ｅ…再生空気経路の部分
１００…本体（本体部）
１０１…ベース
１０２…基部
１０３…立壁部
１１０Ａ，１１０Ｂ…外装パネル
１１１Ａ，１１１Ｂ…補強パネル
１１２…吸込口
２００…除湿ロータ
２５０…ヒータ
２６０…ヒータケース
３００…主熱交換器
３２０…上部ヘッダ
３３０…下部ヘッダ
３５０…副熱交換器
３７０…上部ヘッダ
３８０…下部ヘッダ
４００…処理空気ファン（送風手段）
４１０…ファンケース
４１１…送出部
４５０…再生空気ファン
４６０…ファンケース
４６１…第１ダクト部
４６２…第２ダクト部
５００…ダクト部材
６００…ヘッド部
６１０…ヘッドベース
６２０…ベース本体
６２１，６３１…連通口
６２３…モータ（第１駆動手段）
６２４，６２５，６２６…ギア
６３０…ベースカバー
６３２ａ，６３２ｂ，６３２ｃ，６３２ｄ…ボス（連結部）
６３３ａ，６３３ｂ…開口部
６３４ａ，６３４ｂ…係止部
６３５ａ，６３５ｂ，６３５ｃ，６３５ｄ…ボス上面
６３６ａ，６３６ｂ，６３６ｃ，６３６ｄ…ねじ孔
６３７…ベースカバー上面
６４０…送風部（回転部）
６４１…送風案内部
６４２…吹出口
６５０…回転本体部
６５１…流入部
６５２…吹出部
６５３…ギア部
６５４…コロ取付部
６６１…モータ（第２駆動手段）
６６０…ルーバー
６７０…外装カバー
６７１…第１開口部
６７２…第２開口部
６８０…収容ケース（固定頂部）
６８１…収容ケース本体（ケーシング）
６８２…カバーパネル（ケーシング）
６８３…操作基板
６８４…風向規制部
６８５ａ，６８５ｂ，６８５ｃ，６８５ｄ…ねじ孔
６８６ａ，６８６ｂ…配線孔
６８７ａ，６８７ｂ…被覆部
６８８ａ，６８８ｂ…係止部
６８９…カバーパネル側面
６９０ａ，６９０ｂ，６９０ｃ，６９０ｄ…ボス取付部
６９１…第１のコロ
６９２…第２のコロ
７００…貯水部
７２０…貯水タンク
【図１】
0006279453.tif 000002
【図２】
0006279453.tif 000003
【図３Ａ】
0006279453.tif 000004
【図３Ｂ】
0006279453.tif 000005
【図４】
0006279453.tif 000006
【図５】
0006279453.tif 000007
【図６】
0006279453.tif 000008
【図７】
0006279453.tif 000009
【図８】
0006279453.tif 000010
【図９】
0006279453.tif 000011
【図１０】
0006279453.tif 000012
【図１１】
0006279453.tif 000013
【図１２】
0006279453.tif 000014